(57)【特許請求の範囲】
【請求項１】
底壁を有した筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、
前記ヘッドアクチュエータが前記退避位置に移動している状態で外力を受けた際、前記アクチュエータをラッチして前記退避位置に保持するラッチ機構と、を備え、
前記ラッチ機構は、
前記ヘッドアクチュエータをラッチ可能なラッチ位置とラッチを解除する解除位置との間を移動自在に設けられているとともに、前記ヘッドアクチュエータが前記情報処理位置から退避位置に移動した際にヘッドアクチュエータに当接する当接部と前記ヘッドアクチュエータをラッチするラッチ爪とを有したラッチ部材を備え、
前記当接部は、前記ヘッドアクチュエータに初めに当接する第１当接部と、第１当接部に続いてヘッドアクチュエータに当接する第２当接部とを有し、前記第１当接部は前記第２当接部よりも剛性が低く形成されているディスク駆動装置。
【請求項２】
前記第１当接部および第２当接部は、それぞれ前記ラッチ部材から延出した第１突起および第２突起により形成されている請求項１に記載のディスク駆動装置。
【請求項３】
前記第１突起は前記第２突起よりも肉厚が薄く形成され、弾性変形可能に形成されている請求項２に記載のディスク駆動装置。
【請求項４】
前記第１突起は前記第２突起よりも突出長さが長く形成され、弾性変形可能に形成されている請求項２に記載のディスク駆動装置。
【請求項５】
前記第１突起は前記第２突起よりも柔らかい材料で形成され、弾性変形可能に形成されている請求項２に記載のディスク駆動装置。
【請求項６】
底壁を有した筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、
前記ヘッドアクチュエータが前記退避位置に移動している状態で外力を受けた際、前記アクチュエータをラッチして前記退避位置に保持するラッチ機構と、を備え、
前記ラッチ機構は、
前記ヘッドアクチュエータをラッチ可能なラッチ位置とラッチを解除する解除位置との間を移動自在に設けられているとともに、前記解除位置からラッチ位置に移動した際にストッパに当接する当接部と前記ヘッドアクチュエータをラッチするラッチ爪とを有したラッチ部材を備え、
前記当接部は、前記解除位置からラッチ位置に移動した際に前記ストッパに初めに当接する第１当接部と、第１当接部に続いて前記ストッパに当接する第２当接部とを有し、前記第１当接部は前記第２当接部よりも剛性が低く形成されているディスク駆動装置。
【請求項７】
前記第１当接部および第２当接部は、それぞれ前記ラッチ部材から延出した第１突起および第２突起により形成されている請求項６に記載のディスク駆動装置。
【請求項８】
前記第１突起は前記第２突起よりも肉厚が薄く形成され、弾性変形可能に形成されている請求項６に記載のディスク駆動装置。
【請求項９】
前記第１突起は前記第２突起よりも突出長さが長く形成され、弾性変形可能に形成されている請求項６に記載のディスク駆動装置。
【請求項１０】
前記第１突起は前記第２突起よりも柔らかい材料で形成され、弾性変形可能に形成されている請求項６に記載のディスク駆動装置。
【発明の詳細な説明】
【技術分野】
【０００１】
この発明は、ヘッドアクチュエータのラッチ機構を備えたディスク駆動装置に関する。
【背景技術】
【０００２】
近年、パーソナルコンピュータ等の電子機器においては、大容量のディスク装置として、例えば、磁気ディスク装置が広く用いられている。一般に、磁気ディスク装置は、ケース内に配設された磁気ディスク、磁気ディスクを支持および回転駆動するスピンドルモータ、磁気ヘッドを支持したヘッドアクチュエータ、ヘッドアクチュエータを駆動するボイスコイルモータ（以下、ＶＣＭと称する）、基板ユニット等を備えている。ＶＣＭは、ヘッドアクチュエータに取り付けられたボイスコイルと、ケース側に取り付けられた一対のヨークおよび永久磁石とで構成されている。
【０００３】
また、近年、携帯可能な小型のパーソナルコンピュータが普及しつつあり、この種のパーソナルコンピュータに搭載される磁気ディスク装置は、携帯時における衝撃等に対する信頼性の向上が求められている。
【０００４】
そこで、磁気ディスク装置の非作動時に磁気ヘッドを所定位置に保持する機構として、ランプロード機構を備えたものが提案されている。このランプロード機構は、磁気ディスクの外側に設けられたランプを備え、磁気ディスク装置の非作動時、ヘッドアクチュエータは磁気ディスクの外周に位置した退避位置まで回動され、サスペンションがランプに乗り上げる。これにより、磁気ヘッドは、磁気ディスク表面から離間した退避位置に保持され、衝撃を受けた際に磁気ディスクとの衝突が防止される。
【０００５】
更に、この種の磁気ディスク装置として、耐衝撃性を一層高めるため、ラッチ機構を備えたものが提案されている（例えば、特許文献１）。このラッチ機構は、非作動時、磁気ディスク装置に衝撃が作用すると、ヘッドアクチュエータと係合してその回動を規制し、ヘッドアクチュエータを退避位置に保持する。
【０００６】
このラッチ機構は、ヘッドアクチュエータと係合可能なラッチ位置と、ラッチを解除する解除位置との間を移動可能に設けられたラッチ部材を備えている。ヘッドアクチュエータが退避位置に移動すると、ラッチ部材は、ヘッドアクチュエータに押されて解除位置からラッチ位置に移動され、ラッチ位置に保持される。これにより、ラッチ部材は、磁気ディスク装置に衝撃が作用すると、ヘッドアクチュエータと係合してその回動を規制し、ヘッドアクチュエータを退避位置に保持する。
【特許文献１】特許２５２１４０８号公報
【発明の開示】
【発明が解決しようとする課題】
【０００７】
上述した構成のラッチ機構では、ヘッドアクチュエータが退避位置に移動してラッチ部材に衝突した際、あるいは、ラッチ部材がラッチ解除位置からラッチ位置に移動してストッパに当接する際、衝撃、接触音が発生する。このような衝撃、接触音が頻繁に発生すると、使用者に不安感を与える場合がある。
【０００８】
この発明は以上の点に鑑みなされたもので、その目的は、衝撃、接触音の発生を抑制し、信頼性の向上を図ることが可能なディスク駆動装置を提供することにある。
【課題を解決するための手段】
【０００９】
上記目的を達成するため、この発明の態様に係るディスク駆動装置は、底壁を有した筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内で前記底壁上に設けられ、前記ヘッドを前記記録媒体に対して移動自在に支持しているとともに、前記ヘッドが前記記録媒体の外周側に位置する所定の退避位置と前記ヘッドが前記記録媒体上に位置する情報処理位置とへ移動可能なヘッドアクチュエータと、前記ヘッドアクチュエータが前記退避位置に移動している状態で外力を受けた際、前記アクチュエータをラッチして前記退避位置に保持するラッチ機構と、を備え、  
前記ラッチ機構は、前記ヘッドアクチュエータをラッチ可能なラッチ位置とラッチを解除する解除位置との間を移動自在に設けられているとともに、前記ヘッドアクチュエータが前記情報処理位置から退避位置に移動した際にヘッドアクチュエータに当接する当接部と前記ヘッドアクチュエータをラッチするラッチ爪とを有したラッチ部材を備え、前記当接部は、前記ヘッドアクチュエータに初めに当接する第１当接部と、第１当接部に続いてヘッドアクチュエータに当接する第２当接部とを有し、前記第１当接部は前記第２当接部よりも剛性が低く形成されている。
【００１０】
この発明の他の態様に係るディスク駆動装置によれば、ラッチ機構は、ヘッドアクチュエータとラッチ可能なラッチ位置とラッチを解除する解除位置との間を移動自在に設けられているとともに、前記解除位置からラッチ位置に移動した際にストッパに当接する当接部と前記ヘッドアクチュエータをラッチするラッチ爪とを有したラッチ部材を備え、前記当接部は、前記解除位置からラッチ位置に移動した際に前記ストッパに初めに当接する第１当接部と、第１当接部に続いて前記ストッパに当接する第２当接部とを有し、前記第１当接部は前記第２当接部よりも剛性が低く形成されている。
【発明の効果】
【００１１】
この発明の態様によれば、ヘッドアクチュエータがラッチ部材の当接部に当接する際、剛性の低い第１当接部によって衝撃を緩和した後、第２当接部によってヘッドアクチュエータを受け止めることにより、衝撃、接触音の発生を抑制し、信頼性の向上したディスク駆動装置を得ることができる。
【発明を実施するための最良の形態】
【００１２】
以下図面を参照しながら、この発明の第１の実施形態に係るハードディスクドライブ（以下ＨＤＤと称する）について詳細に説明する。  
図１は、ＨＤＤ全体をトップカバー側から示したもので、図２は、ＨＤＤのトップカバーを取外して内部構造を示す平面図、図３はＨＤＤを分解して示した斜視図である。図１ないし図３に示すように、ＨＤＤはカード状に形成され、例えば、ＰＣカードタイプの規格に合わせて構成されている。ＨＤＤは矩形板状のベース１０を備え、このベースは、周縁部を除いて、後述する種々の部材が装着される凹部を有しているとともに、上面側が開口している。ＨＤＤは、ベース１０の上面側開口を閉塞した板状のトップカバー１２、ベースの裏面側に設けられたプリント回路基板１４、プリント回路基板およびベースの裏面側を覆ったボトムカバー１５を備え、これらを積層することにより、全体としてカード状に形成されている。ベース１０、トップカバー１２、およびボトムカバー１５は、偏平な矩形状のケース１１を構成している。
【００１３】
図２および図３に示すように、ベース１０上には、情報記録媒体として機能する例えば、直径１．８インチの磁気ディスク１６および機構部が設けられている。機構部は、磁気ディスク１６を支持および回転させる駆動モータとしてのスピンドルモータ１８、磁気ディスクに対して情報の書き込み、読み出しを行なう複数の磁気ヘッド４０、これらの磁気ヘッドを磁気ディスク１６に対して移動自在に支持したヘッドアクチュエータ２２、ヘッドアクチュエータを回動および位置決めするボイスコイルモータ（以下ＶＣＭと称する）２４、磁気ヘッドが磁気ディスクの最外周に移動した際、磁気ヘッドを磁気ディスクから離間した位置に保持するランプロード機構２５、衝撃印加時に、ヘッドクチュエータを退避位置に保持するラッチ機構２７を備えている。ベース１０上には、ヘッドＩＣ等を有する基板ユニット２１、およびパック状のエアフィルタ２８が設けられている。
【００１４】
ベース１０は、軟磁性材料、例えば、冷間圧延炭素鋼鈑（ＳＰＣＣ）などの鉄系材料をプレス成形して形成され、その周縁部は、ほぼ平坦な突き合わせ部１３を成形している。ベース１０の突き合わせ部１３には、トップカバー１２をねじ止めするための複数のねじ孔８２や図示しないガスケットを位置決めするための位置決め孔が形成されている。
【００１５】
ベース１０の底面上には、後述するヘッドアクチュエータ２２の軸受組立体を装着するためのほぼ円形の凹所８０が形成されている。スピンドルモータ１８は、ベース１０の凹所内に装着されている。磁気ディスク１６は、スピンドルモータ１８のハブの上端部に同軸的に嵌合されているとともにクランプばね１７により保持されている。そして、磁気ディスク１６は、スピンドルモータ１８によって所定の速度で回転駆動される。
【００１６】
ヘッドアクチュエータ２２は、ベース１０の凹所８０に固定された軸受組立体２６と、軸受組立体から延出した２本のアーム３２と、各アームの先端から延出した磁気ヘッド組立体３６と、軸受組立体からアーム３２と反対方向に延出しているとともにボイスコイルを支持した支持フレーム４４と、を備えている。各磁気ヘッド組立体３６は、細長い板状のサスペンションと、サスペンションの先端に図示しないジンバル部を介して固定された磁気ヘッド４０と、を備えている。
【００１７】
ヘッドアクチュエータ２２をベース１０に組み込んだ状態において、磁気ディスク１６は２本のアーム３２間に位置している。一対の磁気ヘッド４０は、磁気ディスク１６の上面および下面にそれぞれ対向している。各磁気ヘッド４０は、サスペンションのばね力により磁気ディスク表面に向かって所定のヘッド荷重が印加されている。
【００１８】
図２ないし図４に示すように、ヘッドアクチュエータ２２を回動させるＶＣＭ２４は、ヘッドアクチュエータの支持フレーム４４に固定されたボイスコイル４５と、このボイスコイルに対向してベース１０上に設けられた上ヨーク４８と、上ヨークの内面に固定されボイスコイルに対向したマグネット４９と、を備えている。磁性材料からなるベース１０は、ＶＣＭ２４の下ヨークを兼ねている。
【００１９】
ボイスコイル４５に通電することにより、ヘッドアクチュエータ２２は、磁気ヘッド４０が磁気ディスク１６の外周から外れて位置する図３に実線で示す退避位置と、磁気ヘッドが磁気ディスク上に位置する図３に２点鎖線で示す情報処理位置と、の間を回動し、情報処理位置において、磁気ヘッド４０は磁気ディスク１６の所望のトラック上に位置決めされる。ヘッドアクチュエータ２２は、ベース１０に立設されたストッパピン４７により、磁気ディスク１６の中心方向への過度の回動が規制されている。
【００２０】
図２および図３に示すように、ランプロード機構２５は、ベース１０の底壁内面に固定され磁気ディスク１６の周縁部に対向したランプ部材３３と、サスペンションの先端から延出したタブ３４と、を備えている。ヘッドアクチュエータ２２が磁気ディスク１６の内周部から磁気ディスク外周の退避位置まで回動すると、タブ３４は、ランプ部材３３のランプに係合し、その後、ランプ面の傾斜によって引き上げられ、磁気ヘッド４０のアンロード動作を行う。ヘッドアクチュエータ２２が退避位置まで回動すると、タブ３４はランプ部材３３のランプ面上に支持され、磁気ヘッド４０は磁気ディスク１６の表面から離間した状態に保持される。
【００２１】
図２および図３に示すように、各磁気ヘッド４０は、フレキシブルケーブル３０を介して、基板ユニット２１に電気的に接続されている。基板ユニット２１は、フレキシブルプリント回路基板により形成され、その底面には、プリント回路基板１４と接続するためのコネクタ３１が実装されている。基板ユニット２１はベース１０にねじ止めされ、コネクタ３１は、ベース１０に形成された矩形状の信号線挿通開口３５と対向している。
【００２２】
ベース１０の裏面側に設けられたプリント回路基板１４は、ベース１０よりも僅かに小さな寸法の矩形状に形成されている。プリント回路基板１４の一方の表面上にはコネクタ３７を含む複数の電子部品が実装され、このコネクタ３７は、ベース１０の信号線挿通開口３５を通して、ベース内の基板ユニット２１に設けられたコネクタ３１と接続されている。プリント回路基板１４の一端部には、電子部品として、ＨＤＤを外部機器に接続するためのＩ／Ｆコネクタ３８が実装されている。
【００２３】
図２ないし図５に示すように、ラッチ機構２７は、ヘッドアクチュエータ２２の支持フレーム４４の近傍でベース１０の底壁上に設けられた板状のストップラッチ５０と、ヘッドアクチュエータ２２の支持フレーム４４から突出した係合爪５２とを有している。ラッチ部材として機能するストップラッチ５０は、その中央部に支持部５１を有し、この支持部は枢軸５３により、ベース１０上に回動自在に支持されている。ストップラッチ５０は、支持部５１から延出し支持フレーム４４の係合爪５２と係合可能なラッチ爪５４、支持部からラッチ爪５４とほぼ直交する方向に延出した係合アーム部５６、凹所により形成された第１係止面５７ａおよび第２係止面５７ｂ、および支持部５１から離間して位置した磁気吸引部５８を有し、例えば、合成樹脂により一体に成形されている。
【００２４】
磁気吸引部５８は、支持部５１を挟んで、ラッチ爪５４と反対側に設けられ、この磁気吸引部には、ステンレス等の磁性体からなる吸着部材６０が埋めこまれている。磁気吸引部５８は、ＶＣＭ２４のマグネット４９によって磁気的に吸引される。
【００２５】
係合アーム部５６の延出端部には、それぞれ係合アーム部からヘッドアクチュエータ２２側に延出した角状の第１突起７０ａおよび第２突起７０ｂが一体に形成されている。第１突起７０ａおよび第２突起７０ｂは、ヘッドアクチュエータ２２が情報処理位置から退避位置に回動した際にヘッドアクチュエータ２２の支持フレーム４４に当接可能な第１当接部および第２当接部を構成している。
【００２６】
第１突起７０ａおよび第２突起７０ｂは、ヘッドアクチュエータ２２が情報処理位置から退避位置に回動した際、第１突起７０ａが初めに支持フレーム４４に当接し、続いて第２突起７０ｂが支持フレーム４４に当接するような位置および形状に形成されている。また、第１突起７０ａは、第２突起７０ｂよりも剛性が低く形成されている。ここでは、第１突起７０ａは、第２突起７０ｂよりも肉厚が薄く形成され、また、第２突起７０ｂよりも突出長さが長く形成されている。これにより、第１突起７０ａは、第２突起７０ｂよりも柔軟で弾性変形し易くなっている。
【００２７】
ベース１０の底壁にはストッパピン６２が立設されている。ストッパピンは、ストップラッチ５０の第１および第２係止面５７ａ、５７ｂと対向し、これら第１および第２係止面と当接可能な位置に配置されている。
【００２８】
ラッチ機構２７は、ＨＤＤが衝撃等の外力を受けた際、退避位置に移動したヘッドアクチュエータ２２をラッチし、ヘッドアクチュエータが退避位置から情報処理位置へ移動することを防止する。すなわち、図４に示すように、ＨＤＤの情報処理動作時、ヘッドアクチュエータ２２は情報処理位置に回動し、磁気ヘッド４０は磁気ディスク１６に対して情報処理を行う。この際、ラッチ機構２７のストップラッチ５０は、磁気吸引部５８がＶＣＭ２４のマグネット４９に磁気的に吸引されることにより、枢軸５３の周りで時計方向に回動し、第１係止面５７ａがストッパピン６２に当接する図示の解除位置に保持されている。解除位置において、ストップラッチ５０のラッチ爪５４は、支持フレーム４４に形成された係合爪５２から離間し、かつ、係合爪５２の移動経路から外れて位置し、ヘッドアクチュエータ２２の回動動作を許容している。
【００２９】
ＨＤＤの動作停止時において、ヘッドアクチュエータ２２が情報処理位置から退避位置に回動されると、図４に示すように、ヘッドアクチュエータの支持フレーム４４が初めにストップラッチ５０の第１突起７０ａに当り、第１突起７０ａを押圧する。これにより、図６に示すように、ストップラッチ５０は第２係止面５７ｂがストッパピン６２に当接するまで、枢軸５３の周りで反時計方向に回動する。この際、支持フレーム４４に当たった第１突起７０ａが弾性変形し撓むことで衝撃力を吸収するとともに衝突音、接触音を緩和させる。ヘッドアクチュエータ２２が退避位置に向かって更に回動すると、支持フレーム４４が第１突起７０ａに続いて第２突起７０ｂに当接し、２段階接触で更に衝撃力を吸収し、接触音を緩和させる。２度目に当接する第２突起７０ｂは、初めに当接する第１突起７０ａよりも肉厚が厚く形成され、弾性変形量が少なく、それ以上大きく撓まないようになる。
【００３０】
これにより、ストップラッチ５０は、磁気吸引部５８の磁気吸引力に抗して、反時計方向に回動し、第２係止面５７ｂがストッパピン６２に当接する図示のラッチ位置に移動する。そして、ストップラッチ５０がストッパピン６２に当接した後、弾性変形していた第１突起７０ａが元の非変形状態に戻り、ヘッドアクチュエータ２２を僅かに回動させる。これにより、ストップラッチ５０は、第１突起７０ａが支持フレーム４４に接触した状態で、ラッチ位置に保持される。ストップラッチ５０がラッチ位置に保持された状態において、ラッチ爪５４は、支持フレーム４４の係合爪５２の近傍で係合爪５２の移動経路内に位置し、係合爪５２をラッチ可能となっている。
【００３１】
このようにヘッドアクチュエータ２２が退避位置に移動し、かつ、ストップラッチ５０がラッチ位置に保持された状態でＨＤＤに大きな外力が作用し、ヘッドアクチュエータ２２が退避位置から情報処理位置方向に急激に回動しようとした場合、ヘッドアクチュエータ２２が僅かに回動した時点で、支持フレーム４４の係合爪５２がストップラッチ５０のラッチ爪５４にラッチされる。従って、ヘッドアクチュエータ２２はラッチ爪５４により回動動作が規制され、退避位置に保持される。
【００３２】
上記のように、ＨＤＤに衝撃等の外力が作用した場合でも、ラッチ機構２７によってヘッドアクチュエータ２２の不用意な移動を規制し、磁気ヘッドが磁気ディスク１６に衝突して損傷するといった不具合を防止することができる。
【００３３】
図１および図３に示すように、種々の構成要素が装着されたベース１０の上面は、複数のねじ１２ｂによってベース１０の突き合わせ部１３にねじ止めされたトップカバー１２によって閉塞されている。ベース１０の突き合わせ部１３とトップカバー１２の周縁部１９との間には、ベース１０内部を気密に保持するためのガスケット４２が挟持されている。
【００３４】
ベース１０およびプリント回路基板１４の裏面側はボトムカバー１５によって覆われている。ボトムカバー１５は、ベース１０に対応したほぼ矩形状を有している。ボトムカバー１５の各長辺には側壁９４が一体的に形成されている。各側壁９４は、ボトムカバー１５に対して垂直に延出しているとともに、その延出端部９４ａは、他方の側壁に向かって直角に折り曲げられている。これにより、各側壁９４は、ベース１０およびトップカバー１２の側縁部を外側から覆っている。
【００３５】
以上のように構成されたＨＤＤによれば、ラッチ機構を設けることにより、ＨＤＤに衝撃等の外力が作用した場合でも、ヘッドアクチュエータ２２の不用意な移動を規制し、磁気ヘッドが磁気ディスク１６に衝突して損傷するといった不具合を防止することができる。また、ヘッドアクチュエータ２２に当接するストップラッチの当接部を、剛性の低い第１突起と剛性の高い第２突起とで構成することにより、ヘッドアクチュエータがストップラッチに当接する際の衝撃を吸収するとともに衝突音、接触音の発生を抑制することができる。従って、衝撃、接触音の発生により使用者に不安感を与えることがなく、ＨＤＤの信頼性の向上を図ることができる。
【００３６】
なお、第１の実施形態において、ストップラッチ５０の第１突起７０ａは、第２突起７０ｂよりも低い剛性を有していればよく、第２突起７０ｂと同一の突出長さに形成されていてもよい。また、第１突起７０ａを第２突起７０ｂよりも長く形成するとともに、同一の肉厚に形成してもよい。更に、第１突起７０ａおよび第２突起７０ｂを互いに硬さの異なる材料で形成することにより、例えば、第１突起７４ａを第２突起７４ｂよりも柔らかい材料で形成し、第１突起を第２突起よりも低い剛性としてもよい。
【００３７】
次に、この発明の第２の実施形態に係るＨＤＤについて説明する。図７、図８、および図９は、第２の実施形態に係るＨＤＤのラッチ機構を示している。図７および図８に示すように、第２の実施形態によれば、ラッチ機構２７のストップラッチ５０は、その中央部に支持部５１を有し、この支持部は枢軸５３により、ベース１０上に回動自在に支持されている。ストップラッチ５０は、支持部５１から延出し支持フレーム４４の係合爪５２と係合可能なラッチ爪５４、支持部からラッチ爪５４とほぼ直交する方向に延出した係合アーム部５６、凹所により形成された第１係止面５７ａ、および支持部５１から離間して位置した磁気吸引部５８を有し、例えば、合成樹脂により一体に成形されている。係合アーム部５６の延出端には、ヘッドアクチュエータ２２の支持フレーム４４に当接する円弧状の当接部７０が形成されている。磁気吸引部５８は、支持部５１を挟んで、ラッチ爪５４と反対側に設けられ、この磁気吸引部には、ステンレス等の磁性体からなる吸着部材６０が埋めこまれている。磁気吸引部５８は、ＶＣＭ２４のマグネット４９によって磁気的に吸引される。
【００３８】
ストップラッチ５０は、ラッチ位置に回動した際、ベース１０に形成されたストッパ面７２に当接するストッパ当接部７４を有している。ストッパ当接部７４は、ストップラッチ５０からストッパ面７２側に延出した角状の第１突起７４ａおよび第２突起７４ｂを有している。第１突起７４ａおよび第２突起７４ｂは、ストップラッチ５０が解除位置からラッチ位置に回動した際にストッパ面７２に当接する第１当接部および第２当接部を構成している。
【００３９】
第１突起７４ａおよび第２突起７４ｂは、ストップラッチ５０が解除位置からラッチ位置に回動した際、第１突起７４ａが初めにストッパ面７２に当接し、続いて第２突起７４ｂがストッパ面に当接する位置および形状に形成されている。また、第１突起７４ａは、第２突起７４ｂよりも剛性が低く形成されている。ここでは、第１突起７４ａは、第２突起７４ｂよりも肉厚が薄く形成され、また、第２突起７４ｂよりも突出長さが長く形成されている。これにより、第１突起７４ａは、第２突起７４ｂよりも柔軟で弾性変形し易くなっている。
【００４０】
ベース１０の底壁にはストッパピン６２が立設されている。ストッパピン６２は、ストップラッチ５０の第１係止面５７と対向し、第１係止面と当接可能な位置に配置されている。
【００４１】
図７に示すように、ＨＤＤの情報処理動作時、ヘッドアクチュエータ２２は情報処理位置に回動し、磁気ヘッド４０は磁気ディスク１６に対して情報処理を行う。この際、ラッチ機構２７のストップラッチ５０は、磁気吸引部５８がＶＣＭ２４のマグネット４９に磁気的に吸引されることにより、枢軸５３の周りで時計方向に回動し、第１係止面５７ａがストッパピン６２に当接する図示の解除位置に保持されている。解除位置において、ストップラッチ５０のラッチ爪５４は、支持フレーム４４に形成された係合爪５２から離間し、かつ、係合爪５２の移動経路から外れて位置し、ヘッドアクチュエータ２２の回動動作を許容している。
【００４２】
ＨＤＤの動作停止時において、ヘッドアクチュエータ２２が情報処理位置から退避位置に回動されると、図７に示すように、ヘッドアクチュエータの支持フレーム４４がストップラッチ５０の当接部７０に当り、係合アーム部５６を押圧する。これにより、図９に示すように、ストップラッチ５０はストッパ当接部７４がストッパ面７２に当接するまで、枢軸５３の周りで反時計方向に回動する。この際、第１突起７４ａが初めにストッパ面７２に当接し、弾性変形し撓むことで衝撃力を吸収するとともに衝突音、接触音を緩和させる。ヘッドアクチュエータ２２が退避位置に向かって更に回動すると、第１突起７４ａに続いて第２突起７４ｂがストッパ面７２に当接し、２段階接触で更に衝撃力を吸収し、接触音を緩和させる。２度目に当接する第２突起７４ｂは、初めに当接する第１突起７４ａよりも肉厚が厚く形成され、弾性変形量が少なく、それ以上大きく撓まないようになる。
【００４３】
これにより、ストップラッチ５０は、磁気吸引部５８の磁気吸引力に抗して、反時計方向に回動し、ストッパ当接部７４がストッパ面７２に当接する図示のラッチ位置に移動する。そして、ストップラッチ５０がストッパ面７２に当接した後、弾性変形していた第１突起７４ａが元の非変形状態に戻り、ストップラッチ５０およびヘッドアクチュエータ２２を僅かに回動させる。これにより、ストップラッチ５０は、第１突起７４ａがストッパ面７２に当接し、当接部７０が支持フレーム４４に接触した状態で、ラッチ位置に保持される。ストップラッチ５０がラッチ位置に保持された状態において、ラッチ爪５４は、支持フレーム４４の係合爪５２の近傍で係合爪５２の移動経路内に位置し、係合爪５２をラッチ可能となっている。
【００４４】
このようにヘッドアクチュエータ２２が退避位置に移動し、かつ、ストップラッチ５０がラッチ位置に保持された状態でＨＤＤに大きな外力が作用し、ヘッドアクチュエータ２２が退避位置から情報処理位置方向に急激に回動しようとした場合、ヘッドアクチュエータ２２が僅かに回動した時点で、支持フレーム４４の係合爪５２がストップラッチ５０のラッチ爪５４にラッチされる。従って、ヘッドアクチュエータ２２はラッチ爪５４により回動動作が規制され、退避位置に保持される。
【００４５】
第２の実施形態において、ラッチ機構２７の他の構成、およびＨＤＤの他の構成は、前述した第１の実施形態と同一であり、同一の部分には同一の参照符号を付してその詳細な説明を省略する。
【００４６】
上記のように構成された第２の実施形態に係るＨＤＤによれば、ラッチ機構を設けることにより、ＨＤＤに衝撃等の外力が作用した場合でも、ヘッドアクチュエータ２２の不用意な移動を規制し、磁気ヘッドが磁気ディスク１６に衝突して損傷するといった不具合を防止することができる。また、ストッパ面７２に当接するストップラッチのストッパ当接部７４を、剛性の低い第１突起と剛性の高い第２突起とで構成することにより、ストップラッチ５０がストッパ面７２に当接する際の衝撃を吸収するとともに衝突音、接触音の発生を抑制することができる。従って、衝撃、接触音の発生により使用者に不安感を与えることがなく、ＨＤＤの信頼性の向上を図ることができる。
【００４７】
なお、第２の実施形態において、ストップラッチ５０の第１突起７４ａは、第２突起７４ｂよりも低い剛性を有していればよく、第２突起７４ｂと同一の突出長さに形成されていてもよい。また、第１突起７４ａを第２突起７４ｂよりも長く形成するとともに、同一の肉厚に形成してもよい。更に、第１突起７４ａおよび第２突起７４ｂを互いに硬さの異なる材料で形成することにより、例えば、第１突起７４ａを第２突起７４ｂよりも柔らかい材料で形成し、第１突起を第２突起よりも低い剛性としてもよい。
【００４８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４９】
ＨＤＤにおいて、磁気ディスクの枚数は１枚に限らず、必要に応じて増加可能である。この発明は、カード型の磁気ディスク装置に限らず、他のサイズのディスクを備えた磁気ディスク装置にも適用することができる。ストッパラッチにおける第１当接部および第２当接部は、角状の突起に限らず、他の形状としてもよい。
【００５０】
上述した第１および第２の実施形態において、ストッパラッチは、ヘッドアクチュエータとの当接部あるいはストッパ面とのストッパ当接部を、第１突起および第２突起で形成した構成としたが、図１０に示すように、ヘッドアクチュエータとの当接部７０およびストッパ当接部７４の両方を、それぞれ第１突起７０ａ、７４ａおよび第２突起７０ｂ、７４ｂによって形成してもよい。この場合、より確実に衝突音、接触音の発生を抑制することが可能となる。
【図面の簡単な説明】
【００５１】
【図１】図１は、この発明の第１の実施形態に係るＨＤＤを示す斜視図。
【図２】図２は、前記ＨＤＤのトップカバーを取外して内部構造を示す平面図。
【図３】図３は、前記ＨＤＤの分解斜視図。
【図４】図４は、前記ＨＤＤにおけるラッチ機構を示す平面図。
【図５】図５は、前記ラッチ機構のストップラッチを示す斜視図。
【図６】図６は、前記ストップラッチがラッチ位置に移動した状態における前記ラッチ機構を示す平面図。
【図７】図７は、この発明の第２の実施形態に係るＨＤＤにおけるラッチ機構を示す平面図。
【図８】図８は、前記ラッチ機構のストップラッチを示す斜視図。
【図９】図９は、前記ストップラッチがラッチ位置に移動した状態における前記ラッチ機構を示す平面図。
【図１０】図１０は、変形例に係るストップラッチを示す斜視図。
【符号の説明】
【００５２】
１０…ベース、１２…トップカバー、１４…プリント回路基板、１５…ボトムカバー、
１６…磁気ディスク、１８…スピンドルモータ、２１…基板ユニット、
２２…ヘッドアクチュエータ、２４…ＶＣＭ、２５…ランプロード機構、
２７…ラッチ機構、４０…磁気ヘッド、４４…支持フレーム、５０…ストップラッチ、
５２…係合爪、５４…ラッチ爪、５７ａ…第１係止面、５７ｂ…第２係止面、
６２…ストッパピン、７０ａ、７４ａ…第１突起、７０ｂ、７４ｂ…第２突起、
７２…ストッパ面
【要約】
【課題】衝撃、接触音の発生を抑制し、信頼性の向上を図ることが可能なディスク駆動装置を提供する。
【解決手段】ディスク駆動装置は、筐体と、ディスク状の記録媒体と、記録媒体を支持、回転させる駆動モータと、記録媒体に対して情報処理を行うヘッドと、ヘッドアクチュエータと、外力を受けた際、アクチュエータをラッチして退避位置に保持するラッチ機構２７と、を備えている。ラッチ機構のラッチ部材５０は、ラッチ位置と解除位置との間を移動自在に設けられているとともに、ヘッドアクチュエータが情報処理位置から退避位置に移動した際にヘッドアクチュエータに当接する当接部とヘッドアクチュエータをラッチするラッチ爪５４とを有している。当接部は、ヘッドアクチュエータに初めに当接する第１当接部７０ａと、第１当接部に続いてヘッドアクチュエータに当接する第２当接部７０ｂとを有し、第１当接部は第２当接部よりも剛性が低く形成されている。
【選択図】  図４【図１】
0004256444.tif 000002
【図２】
0004256444.tif 000003
【図３】
0004256444.tif 000004
【図４】
0004256444.tif 000005
【図５】
0004256444.tif 000006
【図６】
0004256444.tif 000007
【図７】
0004256444.tif 000008
【図８】
0004256444.tif 000009
【図９】
0004256444.tif 000010
【図１０】
0004256444.tif 000011